【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
アクセサリに設けられた第１のマウントと結合可能な第２のマウントを有し、前記アクセサリを着脱できるマウント装置であって、
前記第２のマウントにおいて、当該第２のマウントに沿って配され、前記アクセサリに設けられた対応する端子との電気的な接続に用いる複数の端子と、
前記複数の端子を保持する端子保持部と、
を有し、
前記端子保持部は、前記第２のマウントの中心軸と平行な方向に段差を備え、
前記複数の端子は、前記アクセサリの内部に設けられた部材の駆動に用いられる電源を供給するための第１の端子と、前記アクセサリとの通信制御に用いられる電源を供給するための第２の端子とを備え、
前記端子保持部は、少なくとも、前記中心軸と平行な方向における高さが異なる第１の段と第２の段とを備え、
前記アクセサリを前記マウント装置に装着した状態で、前記第２の段は、前記中心軸と平行な方向において、前記第１の段よりも前記アクセサリ側に突出し、前記複数の端子において、前記第１の端子と前記第２の端子とは、互いに隣り合って配され、
前記第１の端子および前記第２の端子は、前記第２の段に配された前記複数の端子のうちの他の端子よりも前記第１の段から離れて配され、
前記第２の端子は、前記第１の端子よりも前記第１の段から離れて配され、
前記第１の端子と前記第２の端子との端子間のピッチは、少なくとも、前記複数の端子のうちの他の端子の端子間のピッチの何れか１つよりも広いことを特徴とするマウント装置。
【請求項２】
前記第２のマウントは、前記中心軸と平行な方向において、前記第１のマウントに設けられた爪と係合可能な爪を備え、
前記第２のマウントに設けられた爪に対する前記第１のマウントに設けられた爪の回転方向である前記アクセサリの装着方向において、前記第１の段は、前記第２の段よりも手前に位置し、
前記第２の端子は、前記アクセサリの装着方向において、前記第１の端子よりも奥側に配されていることを特徴とする請求項１に記載のマウント装置。
【請求項３】
前記第２の端子は、前記アクセサリの装着方向において、前記複数の端子のうちで最も奥に配されることを特徴とする請求項２に記載のマウント装置。
【請求項４】
前記複数の端子は、前記第１の段に配される端子の数と前記第２の段に配される端子の数とが異なることを特徴とする請求項２又は３に記載のマウント装置。
【請求項５】
前記複数の端子は、前記第１の段よりも前記第２の段に配された端子の数が少ないことを特徴とする請求項４に記載のマウント装置。
【請求項６】
前記複数の端子は、前記端子保持部の前記第２の段において、前記第１の端子に対応するグランドレベルを示す第３の端子を備えることを特徴とする請求項２乃至５の何れか１項に記載のマウント装置。
【請求項７】
前記複数の端子は、前記端子保持部の前記第２の段において、前記第１の端子と前記第３の端子との間に第４の端子を備え、
前記第４の端子は、当該第４の端子に接続された信号ラインに保護素子を備えており、
前記第３の端子は、前記第２の段に配された前記複数の端子のうちの他の端子よりも、前記アクセサリの装着方向における手前に配されていることを特徴とする請求項６に記載のマウント装置。
【請求項８】
前記第４の端子は、前記マウント装置に装着された前記アクセサリの種類を判別するのに用いる端子であることを特徴とする請求項７に記載のマウント装置。
【請求項９】
前記第１の端子と前記第２の端子との端子間のピッチは、少なくとも、前記第１の端子と前記第４の端子との端子間のピッチよりも広いことを特徴とする請求項７又は８に記載のマウント装置。
【請求項１０】
前記第１の端子と前記第２の端子との端子間のピッチは、少なくとも、前記端子保持部の前記第１の段に配された前記複数の端子における互いに隣接する端子の端子間のピッチよりも広いことを特徴とする請求項２乃至９の何れか一項に記載のマウント装置。
【請求項１１】
前記複数の端子は、前記複数のアクセサリ側端子と電気的な接続が可能な接点ピンであって、
前記端子間のピッチは、前記第２のマウントに沿った周方向において、前記端子保持部から露出した前記複数の端子に対応する接点ピン同士の中心間の距離であることを特徴とする請求項１乃至１０の何れか一項に記載のマウント装置。
【請求項１２】
前記複数の端子は、前記複数のアクセサリ側端子と電気的な接続が可能な接点ピンであって、
前記端子間のピッチは、前記第２のマウントに沿った周方向において、隣接する前記端子同士の対応するアクセサリ側端子との接続点の間の距離であることを特徴とする請求項１乃至１０の何れか一項に記載のマウント装置。
【請求項１３】
前記複数の端子は、前記端子保持部の前記第１の段において、前記マウント装置に前記アクセサリが装着されたことを検出するのに用いる第５の端子を備え、
前記第５の端子は、前記第１の段に配された前記複数の端子の他の端子よりも前記第２の段の近くに配されていることを特徴とする請求項８に記載のマウント装置。
【請求項１４】
前記複数の端子は、前記端子保持部の前記第１の段において、前記第２の端子に対応するグランドレベルを示すのに用いる第６の端子を備え、
前記第６の端子は、前記第１の段に配された前記複数の端子の他の端子よりも前記第２の段から離れて配されていることを特徴とする請求項１３に記載のマウント装置。
【請求項１５】
前記複数の端子は、前記端子保持部の前記第１の段において、第７の端子、第８の端子、第９の端子、第１０の端子、第１１の端子、第１２の端子を備え、
前記第７〜１２の端子は、通信に用いる端子であって、前記第５の端子と前記第６の端子の間に配されていることを特徴とする請求項１４に記載のマウント装置。
【請求項１６】
前記マウント装置は、撮像装置またはアダプタ装置に設けられていることを特徴とする請求項１乃至１５の何れか一項に記載のマウント装置。
【請求項１７】
マウント装置に設けられた第１のマウントと結合可能な第２のマウントを有し、前記マウント装置に着脱できるアクセサリであって、
前記第２のマウントにおいて、当該第２のマウントに沿って配され、電気的な接続に用いる複数の端子と、
前記複数の端子を保持する端子保持部と
を有し、
前記端子保持部は、前記第２のマウントの中心軸と平行な方向に段差を備え、
前記複数の端子は、前記マウント装置から前記アクセサリ内部に設けられた部材の駆動に用いる電源の供給を受けるための第１の端子と、前記マウント装置との通信制御に用いられる電源の供給を受けるための第２の端子とを備え、
前記端子保持部は、少なくとも、前記中心軸と平行な方向における高さが異なる第１の段と第２の段とを備え、
前記アクセサリを前記マウント装置に装着した状態で、前記第１の段は、前記中心軸と平行な方向において、前記第２の段よりも前記マウント装置側に突出し、
前記複数の端子において、前記第１の端子と前記第２の端子とは、互いに隣り合って配され、
前記第１の端子および前記第２の端子は、前記第２の段に配された前記複数の端子のうちの他の端子よりも前記第１の段から離れて配され、
前記第２の端子は、前記第１の端子よりも前記第１の段から離れて配され、
前記第１の端子と前記第２の端子との端子間のピッチは、少なくとも、前記複数の端子のうちの他の端子の端子間のピッチの何れか１つよりも広いことを特徴とするアクセサリ。
【請求項１８】
前記第２のマウントは、前記中心軸と平行な方向において、前記第１のマウントに設けられた爪と係合可能な爪を備え、
前記第１のマウントに設けられた爪に対する前記第２のマウントに設けられた爪の回転方向である前記アクセサリの装着方向において、前記第１の段は、前記第２の段よりも手前に位置し、
前記第２の端子は、前記アクセサリの装着方向において、前記第１の端子よりも奥側に配されていることを特徴とする請求項１に記載のアクセサリ。
【請求項１９】
前記第２の端子は、前記アクセサリの装着方向において、前記複数の端子のうちで、最も奥に配されることを特徴とする請求項１８に記載のアクセサリ。
【請求項２０】
前記複数の端子は、前記第１の段に配される端子の数と前記第２の段に配される端子の数とが異なることを特徴とする請求項１８又は１９に記載のアクセサリ。
【請求項２１】
前記複数の端子は、前記第１の段よりも前記第２の段に配された端子の数が少ないことを特徴とする請求項２０に記載のアクセサリ。
【請求項２２】
前記複数の端子は、前記端子保持部の前記第２の段において、前記第１の端子に対応するグランドレベルを示す第３の端子を備えることを特徴とする請求項１８乃至２１の何れか１項に記載のアクセサリ。
【請求項２３】
前記複数の端子は、前記端子保持部の前記第２の段において、前記第１の端子と前記第３の端子との間に第４の端子を備え、
前記第４の端子は、前記マウント装置側との通信用の端子ではなく、
前記第３の端子は、前記第２の段に配された前記複数の端子のうちの他の端子よりも、前記アクセサリの装着方向における手前に配されていることを特徴とする請求項２２に記載のアクセサリ。
【請求項２４】
前記第４の端子は、前記アクセサリが前記撮像装置に装着された状態で、前記アクセサリの種類を示すのに用いる端子であることを特徴とする請求項２３に記載のアクセサリ。
【請求項２５】
前記第１の端子と前記第２の端子との端子間のピッチは、少なくとも、前記第１の端子と前記第４の端子との端子間のピッチよりも広いことを特徴とする請求項２３又は２４に記載のアクセサリ。
【請求項２６】
前記複数の端子は、前記マウント装置の複数の端子と電気的な接続が可能な接点面であって、
前記第１の端子と前記第２の端子は、前記第２のマウントに沿った周方向における接点面の幅が、前記複数の端子のうちの少なくとも１つの他の端子の接点面の前記周方向の幅と同一であって、
前記第１の端子と前記第２の端子との端子間のピッチは、少なくとも、前記端子保持部の前記第１の段に配された前記複数の端子における互いに隣接する端子の端子間のピッチよりも広いことを特徴とする請求項１８乃至２５の何れか一項に記載のアクセサリ。
【請求項２７】
前記端子間のピッチは、前記第２のマウントに沿った周方向において、前記端子保持部から露出した前記複数の端子に対応する接点面同士の中心間の距離であることを特徴とする請求項１７乃至２６の何れか一項に記載のアクセサリ。
【請求項２８】
前記端子間のピッチは、前記第２のマウントに沿った周方向において、隣接する前記端子同士の対応する前記マウント装置の端子との接続点の間の距離であることを特徴とする請求項１７乃至２６の何れか一項に記載のマウント装置。
【請求項２９】
前記複数の端子は、前記端子保持部の前記第１の段において、前記マウント装置に前記アクセサリが装着されたことを検出するのに用いる第５の端子を備え、
前記第５の端子は、前記第１の段に配された前記複数の端子の他の端子よりも前記第２の段の近くに配されていることを特徴とする請求項２４に記載のアクセサリ。
【請求項３０】
前記複数の端子は、前記端子保持部の前記第１の段において、前記第２の端子に対応するグランドレベルを示すのに用いる第６の端子を備え、
前記第６の端子は、前記第１の段に配された前記複数の端子の他の端子よりも前記第２の段から離れて配されていることを特徴とする請求項２９に記載のアクセサリ。
【請求項３１】
前記複数の端子は、前記端子保持部の前記第１の段において、第７の端子、第８の端子、第９の端子、第１０の端子、第１１の端子、第１２の端子を備え、
前記第７〜１２の端子は、通信に用いる端子であって、前記第５の端子と前記第６の端子の間に配されていることを特徴とする請求項３０に記載のアクセサリ。
【請求項３２】
前記アクセサリは、前記マウント装置に着脱可能な交換レンズまたはアダプタ装置であることを特徴とする請求項１７乃至３１の何れか１項に記載のアクセサリ。
【手続補正２】
【補正対象書類名】明細書
【補正対象項目名】発明の名称
【補正方法】変更
【補正の内容】
【発明の名称】マウント装置およびアクセサリ
【手続補正３】
【補正対象書類名】明細書
【補正対象項目名】０００１
【補正方法】変更
【補正の内容】
【０００１】
本発明は、他の機器との電気的な接続が可能な端子をマウントに備えた、マウント装置およびアクセサリに関する。
【手続補正４】
【補正対象書類名】明細書
【補正対象項目名】０００７
【補正方法】変更
【補正の内容】
【０００７】
上記目的を達成するために、本発明のマウント装置は、アクセサリに設けられた第１のマウントと結合可能な第２のマウントを有し、前記アクセサリを着脱できるマウント装置であって、前記第２のマウントにおいて、当該第２のマウントに沿って配され、前記アクセサリに設けられた対応する端子との電気的な接続に用いる複数の端子と、前記複数の端子を保持する端子保持部と、を有し、前記端子保持部は、前記第２のマウントの中心軸と平行な方向に段差を備え、前記複数の端子は、前記アクセサリの内部に設けられた部材の駆動に用いられる電源を供給するための第１の端子と、前記アクセサリとの通信制御に用いられる電源を供給するための第２の端子とを備え、前記端子保持部は、少なくとも、前記中心軸と平行な方向における高さが異なる第１の段と第２の段とを備え、前記アクセサリを前記マウント装置に装着した状態で、前記第２の段は、前記中心軸と平行な方向において、前記第１の段よりも前記アクセサリ側に突出し、前記複数の端子において、前記第１の端子と前記第２の端子とは、互いに隣り合って配され、前記第１の端子および前記第２の端子は、前記第２の段に配された前記複数の端子のうちの他の端子よりも前記第１の段から離れて配され、前記第２の端子は、前記第１の端子よりも前記第１の段から離れて配され、前記第１の端子と前記第２の端子との端子間のピッチは、少なくとも、前記複数の端子のうちの他の端子の端子間のピッチの何れか１つよりも広いことを特徴とする。